【手続補正書】
【提出日】平成27年4月30日(2015.4.30)
【手続補正１】
【補正対象書類名】明細書
【補正対象項目名】発明の名称
【補正方法】変更
【補正の内容】
【発明の名称】画像形成システム、情報処理装置、その制御方法及びプログラム
【手続補正２】
【補正対象書類名】明細書
【補正対象項目名】００１２
【補正方法】変更
【補正の内容】
【００１２】
本発明は、ユーザ情報に対応する画像形成装置のレベルに応じて、当該画像形成装置においては、当該ユーザ情報に対応する印刷ジョブのうち当該画像形成装置で印刷出力可能なレベルの印刷ジョブを印刷出力させる仕組みを提供することを目的とする。
【手続補正３】
【補正対象書類名】明細書
【補正対象項目名】００１３
【補正方法】変更
【補正の内容】
【００１３】
本発明の画像形成システムは、印刷ジョブを、ユーザ情報と、印刷ジョブのレベルと対応付けて記憶する印刷ジョブ記憶手段を備える情報処理装置と、画像形成装置と、を含む画像形成システムであって、前記画像形成装置は、ユーザ情報の入力を受け付ける入力受付手段と、前記情報処理装置の印刷ジョブ記憶手段に記憶されている、前記入力受付手段で入力を受け付けたユーザ情報に対応する印刷ジョブを前記情報処理装置より受信する受信手段と、前記受信手段で受信した印刷ジョブを印刷出力する印刷出力手段と、を備え、前記情報処理装置は、前記入力受付手段で入力を受け付けたユーザ情報の印刷ジョブを前記印刷ジョブ記憶手段から取得する印刷ジョブ取得手段と、ユーザ情報に対応する印刷ジョブのうちいずれのレベルの印刷ジョブを印刷出力可能な画像形成装置かを示す画像形成装置のレベルの情報とユーザ情報とが対応付けられて記憶されている記憶手段から、前記入力受付手段で入力を受け付けたユーザ情報に対応付けられた前記画像形成装置のレベルの情報を取得する画像形成装置レベル情報取得手段と、前記印刷ジョブ取得手段で取得された印刷ジョブのうち、前記画像形成装置レベル情報取得手段で取得した、前記入力受付手段で前記ユーザ情報の入力を受け付けた前記画像形成装置のレベルで印刷出力可能なレベルの印刷ジョブを特定する特定手段と、前記特定手段で特定された印刷ジョブを、前記入力受付手段で前記ユーザ情報の入力を受け付けた前記画像形成装置に送信する送信手段と、を備え、前記受信手段は、前記入力受付手段で入力を受け付けたユーザ情報に対応する印刷ジョブであって、前記送信手段で送信された、前記入力受付手段でユーザ情報の入力を受け付けた画像形成装置で印刷出力可能なレベルの印刷ジョブを受信し、前記印刷出力手段は、前記受信手段で受信した、前記入力受付手段でユーザ情報の入力を受け付けた画像形成装置で印刷出力可能なレベルの印刷ジョブを印刷出力することを特徴とする。
【手続補正４】
【補正対象書類名】明細書
【補正対象項目名】００１４
【補正方法】変更
【補正の内容】
【００１４】
本発明の情報処理装置は、ユーザ情報の入力を受け付ける入力受付手段と、情報処理装置の印刷ジョブ記憶手段に記憶されている、前記入力受付手段で入力を受け付けたユーザ情報に対応する印刷ジョブを前記情報処理装置より受信する受信手段と、前記受信手段で受信した印刷ジョブを印刷出力する印刷出力手段と、を備える画像形成装置と通信可能に接続される、前記印刷ジョブを、ユーザ情報と、印刷ジョブのレベルと対応付けて記憶する印刷ジョブ記憶手段を備える情報処理装置であって、前記入力受付手段で入力を受け付けたユーザ情報の印刷ジョブを前記印刷ジョブ記憶手段から取得する印刷ジョブ取得手段と、ユーザ情報に対応する印刷ジョブのうちいずれのレベルの印刷ジョブを印刷出力可能な画像形成装置かを示す画像形成装置のレベルの情報とユーザ情報とが対応付けられて記憶されている記憶手段から、前記入力受付手段で入力を受け付けたユーザ情報に対応付けられた前記画像形成装置のレベルの情報を取得する画像形成装置レベル情報取得手段と、前記印刷ジョブ取得手段で取得された印刷ジョブのうち、前記画像形成装置レベル情報取得手段で取得した、前記入力受付手段で前記ユーザ情報の入力を受け付けた前記画像形成装置のレベルで印刷出力可能なレベルの印刷ジョブを特定する特定手段と、前記特定手段で特定された印刷ジョブを、前記入力受付手段で前記ユーザ情報の入力を受け付けた前記画像形成装置の前記受信手段で受信させるべく送信する送信手段と、を備えることを特徴とする。
【手続補正５】
【補正対象書類名】明細書
【補正対象項目名】００１５
【補正方法】変更
【補正の内容】
【００１５】
本発明によれば、ユーザ情報に対応する画像形成装置のレベルに応じて、当該画像形成装置においては、当該ユーザ情報に対応する印刷ジョブのうち当該画像形成装置で印刷出力可能なレベルの印刷ジョブを印刷出力させることができる。
【手続補正６】
【補正対象書類名】特許請求の範囲
【補正対象項目名】全文
【補正方法】変更
【補正の内容】
【特許請求の範囲】
【請求項１】
印刷ジョブを、ユーザ情報と、印刷ジョブのレベルと対応付けて記憶する印刷ジョブ記憶手段を備える情報処理装置と、画像形成装置と、を含む画像形成システムであって、
前記画像形成装置は、
ユーザ情報の入力を受け付ける入力受付手段と、
前記情報処理装置の印刷ジョブ記憶手段に記憶されている、前記入力受付手段で入力を受け付けたユーザ情報に対応する印刷ジョブを前記情報処理装置より受信する受信手段と、
前記受信手段で受信した印刷ジョブを印刷出力する印刷出力手段と、
を備え、
前記情報処理装置は、
前記入力受付手段で入力を受け付けたユーザ情報の印刷ジョブを前記印刷ジョブ記憶手段から取得する印刷ジョブ取得手段と、
ユーザ情報に対応する印刷ジョブのうちいずれのレベルの印刷ジョブを印刷出力可能な画像形成装置かを示す画像形成装置のレベルの情報とユーザ情報とが対応付けられて記憶されている記憶手段から、前記入力受付手段で入力を受け付けたユーザ情報に対応付けられた前記画像形成装置のレベルの情報を取得する画像形成装置レベル情報取得手段と、
前記印刷ジョブ取得手段で取得された印刷ジョブのうち、前記画像形成装置レベル情報取得手段で取得した、前記入力受付手段で前記ユーザ情報の入力を受け付けた前記画像形成装置のレベルで印刷出力可能なレベルの印刷ジョブを特定する特定手段と、
前記特定手段で特定された印刷ジョブを、前記入力受付手段で前記ユーザ情報の入力を受け付けた前記画像形成装置に送信する送信手段と、
を備え、
前記受信手段は、前記入力受付手段で入力を受け付けたユーザ情報に対応する印刷ジョブであって、前記送信手段で送信された、前記入力受付手段でユーザ情報の入力を受け付けた画像形成装置で印刷出力可能なレベルの印刷ジョブを受信し、
前記印刷出力手段は、前記受信手段で受信した、前記入力受付手段でユーザ情報の入力を受け付けた画像形成装置で印刷出力可能なレベルの印刷ジョブを印刷出力することを特徴とする画像形成システム。
【請求項２】
前記情報処理装置は、
前記特定手段で特定された、前記印刷ジョブ取得手段で取得された印刷ジョブのうち、前記入力受付手段で前記ユーザ情報の入力を受け付けた前記画像形成装置のレベルで印刷出力可能なレベルの印刷ジョブの情報の一覧を、当該画像形成装置に送信する一覧送信手段
を備え、
前記画像形成装置は、
前記一覧送信手段で送信された前記印刷ジョブの情報の一覧を受信する一覧受信手段と、
前記一覧受信手段で受信した印刷ジョブの一覧を表示する一覧表示手段と、
前記一覧表示手段で表示された前記印刷ジョブの情報のうち、印刷出力する印刷ジョブの情報の選択を受け付ける選択受付手段と、
前記選択受付手段で選択を受け付けた印刷ジョブの情報に基づいて、当該選択を受け付けた印刷ジョブを前記情報処理装置に要求する印刷ジョブ要求手段と、
を備え、
前記情報処理装置の送信手段は、前記特定手段で特定された前記印刷ジョブのうち前記印刷ジョブ要求手段により要求された印刷ジョブを、前記印刷ジョブ要求手段により印刷ジョブの送信が要求された画像形成装置へと送信することを特徴とする請求項１に記載の画像形成システム。
【請求項３】
前記印刷ジョブのレベルはセキュリティレベルであり、
前記特定手段は、前記印刷ジョブ取得手段で取得された印刷ジョブのうち、前記画像形成装置レベル情報取得手段で取得した前記画像形成装置のレベルにおさまるセキュリティレベルの印刷ジョブを、前記入力受付手段でユーザ情報の入力を受け付けた画像形成装置のレベルで印刷出力可能なレベルの印刷ジョブとして特定することを特徴とする請求項１または２に記載の画像形成システム。
【請求項４】
ユーザ情報の入力を受け付ける入力受付手段と、情報処理装置の印刷ジョブ記憶手段に記憶されている、前記入力受付手段で入力を受け付けたユーザ情報に対応する印刷ジョブを前記情報処理装置より受信する受信手段と、前記受信手段で受信した印刷ジョブを印刷出力する印刷出力手段と、を備える画像形成装置と通信可能に接続される、前記印刷ジョブを、ユーザ情報と、印刷ジョブのレベルと対応付けて記憶する印刷ジョブ記憶手段を備える情報処理装置であって、
前記入力受付手段で入力を受け付けたユーザ情報の印刷ジョブを前記印刷ジョブ記憶手段から取得する印刷ジョブ取得手段と、
ユーザ情報に対応する印刷ジョブのうちいずれのレベルの印刷ジョブを印刷出力可能な画像形成装置かを示す画像形成装置のレベルの情報とユーザ情報とが対応付けられて記憶されている記憶手段から、前記入力受付手段で入力を受け付けたユーザ情報に対応付けられた前記画像形成装置のレベルの情報を取得する画像形成装置レベル情報取得手段と、
前記印刷ジョブ取得手段で取得された印刷ジョブのうち、前記画像形成装置レベル情報取得手段で取得した、前記入力受付手段で前記ユーザ情報の入力を受け付けた前記画像形成装置のレベルで印刷出力可能なレベルの印刷ジョブを特定する特定手段と、
前記特定手段で特定された印刷ジョブを、前記入力受付手段で前記ユーザ情報の入力を受け付けた前記画像形成装置の前記受信手段で受信させるべく送信する送信手段と、
を備えることを特徴とする情報処理装置。
【請求項５】
前記画像形成装置は、前記印刷ジョブ取得手段で取得された印刷ジョブのうち、前記入力受付手段で前記ユーザ情報の入力を受け付けた前記画像形成装置のレベルで印刷出力可能なレベルの印刷ジョブの情報の一覧を受信する一覧受信手段と、前記一覧受信手段で受信した印刷ジョブの一覧を表示する一覧表示手段と、前記一覧表示手段で表示された前記印刷ジョブの情報のうち、印刷出力する印刷ジョブの情報の選択を受け付ける選択受付手段と、前記選択受付手段で選択を受け付けた印刷ジョブの情報に基づいて、当該選択を受け付けた印刷ジョブを前記情報処理装置に要求する印刷ジョブ要求手段と、を備える画像形成装置であって、
前記情報処理装置はさらに、
前記特定手段で特定された、前記印刷ジョブ取得手段で取得された印刷ジョブのうち、前記入力受付手段で前記ユーザ情報の入力を受け付けた前記画像形成装置のレベルで印刷出力可能なレベルの印刷ジョブの情報の一覧を、前記画像形成装置の前記一覧受信手段で受信させるべく送信する一覧送信手段
を備え、
前記情報処理装置の送信手段は、前記特定手段で特定された前記印刷ジョブのうち前記画像形成装置の印刷ジョブ要求手段により要求された印刷ジョブを、前記印刷ジョブ要求手段により印刷ジョブの送信が要求された画像形成装置へと送信することを特徴とする請求項４に記載の情報処理装置。
【請求項６】
印刷ジョブを、ユーザ情報と、印刷ジョブのレベルと対応付けて記憶する印刷ジョブ記憶手段を備える情報処理装置と、画像形成装置と、を含む画像形成システムの制御方法であって、
前記画像形成装置の、
入力受付手段が、ユーザ情報の入力を受け付ける入力受付工程と、
受信手段が、前記情報処理装置の印刷ジョブ記憶手段に記憶されている、前記入力受付工程で入力を受け付けたユーザ情報に対応する印刷ジョブを前記情報処理装置より受信する受信工程と、
印刷出力手段が、前記受信手段で受信した印刷ジョブを印刷出力する印刷出力工程と、
を含み、
前記情報処理装置の、
印刷ジョブ取得手段が、前記入力受付工程で入力を受け付けたユーザ情報の印刷ジョブを前記印刷ジョブ記憶手段から取得する印刷ジョブ取得工程と、
画像形成装置レベル情報取得手段が、ユーザ情報に対応する印刷ジョブのうちいずれのレベルの印刷ジョブを印刷出力可能な画像形成装置かを示す画像形成装置のレベルの情報とユーザ情報とが対応付けられて記憶されている記憶手段から、前記入力受付工程で入力を受け付けたユーザ情報に対応付けられた前記画像形成装置のレベルの情報を取得する画像形成装置レベル情報取得工程と、
特定手段が、前記印刷ジョブ取得工程で取得された印刷ジョブのうち、前記画像形成装置レベル情報取得工程で取得した、前記入力受付工程で前記ユーザ情報の入力を受け付けた前記画像形成装置のレベルで印刷出力可能なレベルの印刷ジョブを特定する特定工程と、
送信手段が、前記特定工程で特定された印刷ジョブを、前記入力受付工程で前記ユーザ情報の入力を受け付けた前記画像形成装置に送信する送信工程と、
を含み、
前記受信工程は、前記入力受付工程で入力を受け付けたユーザ情報に対応する印刷ジョブであって、前記送信工程で送信された、前記入力受付工程でユーザ情報の入力を受け付けた画像形成装置で印刷出力可能なレベルの印刷ジョブを受信し、
前記印刷出力工程は、前記受信工程で受信した、前記入力受付工程でユーザ情報の入力を受け付けた画像形成装置で印刷出力可能なレベルの印刷ジョブを印刷出力することを特徴とする画像形成システムの制御方法。
【請求項７】
印刷ジョブを、ユーザ情報と、印刷ジョブのレベルと対応付けて記憶する印刷ジョブ記憶手段を備える情報処理装置と、画像形成装置と、を含む画像形成システムで実行が可能なプログラムであって、
前記画像形成装置を、
ユーザ情報の入力を受け付ける入力受付手段と、
前記情報処理装置の印刷ジョブ記憶手段に記憶されている、前記入力受付手段で入力を受け付けたユーザ情報に対応する印刷ジョブを前記情報処理装置より受信する受信手段と、
前記受信手段で受信した印刷ジョブを印刷出力する印刷出力手段として機能させ、
前記情報処理装置を、
前記入力受付手段で入力を受け付けたユーザ情報の印刷ジョブを前記印刷ジョブ記憶手段から取得する印刷ジョブ取得手段と、
ユーザ情報に対応する印刷ジョブのうちいずれのレベルの印刷ジョブを印刷出力可能な画像形成装置かを示す画像形成装置のレベルの情報とユーザ情報とが対応付けられて記憶されている記憶手段から、前記入力受付手段で入力を受け付けたユーザ情報に対応付けられた前記画像形成装置のレベルの情報を取得する画像形成装置レベル情報取得手段と、
前記印刷ジョブ取得手段で取得された印刷ジョブのうち、前記画像形成装置レベル情報取得手段で取得した、前記入力受付手段で前記ユーザ情報の入力を受け付けた前記画像形成装置のレベルで印刷出力可能なレベルの印刷ジョブを特定する特定手段と、
前記特定手段で特定された印刷ジョブを、前記入力受付手段で前記ユーザ情報の入力を受け付けた前記画像形成装置に送信する送信手段として機能させ、
前記受信手段は、前記入力受付手段で入力を受け付けたユーザ情報に対応する印刷ジョブであって、前記送信手段で送信された、前記入力受付手段でユーザ情報の入力を受け付けた画像形成装置で印刷出力可能なレベルの印刷ジョブを受信し、
前記印刷出力手段は、前記受信手段で受信した、前記入力受付手段でユーザ情報の入力を受け付けた画像形成装置で印刷出力可能なレベルの印刷ジョブを印刷出力することを特徴とする画像形成システムのプログラム。
【請求項８】
ユーザ情報の入力を受け付ける入力受付手段と、情報処理装置の印刷ジョブ記憶手段に記憶されている、前記入力受付手段で入力を受け付けたユーザ情報に対応する印刷ジョブを前記情報処理装置より受信する受信手段と、前記受信手段で受信した印刷ジョブを印刷出力する印刷出力手段と、を備える画像形成装置と通信可能に接続される、前記印刷ジョブを、ユーザ情報と、印刷ジョブのレベルと対応付けて記憶する印刷ジョブ記憶手段を備える情報処理装置の制御方法であって、
前記入力受付手段で入力を受け付けたユーザ情報の印刷ジョブを前記印刷ジョブ記憶手段から取得する印刷ジョブ取得工程と、
ユーザ情報に対応する印刷ジョブのうちいずれのレベルの印刷ジョブを印刷出力可能な画像形成装置かを示す画像形成装置のレベルの情報とユーザ情報とが対応付けられて記憶されている記憶手段から、前記入力受付手段で入力を受け付けたユーザ情報に対応付けられた前記画像形成装置のレベルの情報を取得する画像形成装置レベル情報取得工程と、
前記印刷ジョブ取得工程で取得された印刷ジョブのうち、前記画像形成装置レベル情報取得工程で取得した、前記入力受付手段で前記ユーザ情報の入力を受け付けた前記画像形成装置のレベルで印刷出力可能なレベルの印刷ジョブを特定する特定工程と、
前記特定工程で特定された印刷ジョブを、前記入力受付手段で前記ユーザ情報の入力を受け付けた前記画像形成装置の前記受信手段で受信させるべく送信する送信工程と、
を含むことを特徴とする情報処理装置の制御方法。
【請求項９】
ユーザ情報の入力を受け付ける入力受付手段と、情報処理装置の印刷ジョブ記憶手段に記憶されている、前記入力受付手段で入力を受け付けたユーザ情報に対応する印刷ジョブを前記情報処理装置より受信する受信手段と、前記受信手段で受信した印刷ジョブを印刷出力する印刷出力手段と、を備える画像形成装置と通信可能に接続される、前記印刷ジョブを、ユーザ情報と、印刷ジョブのレベルと対応付けて記憶する印刷ジョブ記憶手段を備える情報処理装置を、
前記入力受付手段で入力を受け付けたユーザ情報の印刷ジョブを前記印刷ジョブ記憶手段から取得する印刷ジョブ取得手段と、
ユーザ情報に対応する印刷ジョブのうちいずれのレベルの印刷ジョブを印刷出力可能な画像形成装置かを示す画像形成装置のレベルの情報とユーザ情報とが対応付けられて記憶されている記憶手段から、前記入力受付手段で入力を受け付けたユーザ情報に対応付けられた前記画像形成装置のレベルの情報を取得する画像形成装置レベル情報取得手段と、
前記印刷ジョブ取得手段で取得された印刷ジョブのうち、前記画像形成装置レベル情報取得手段で取得した、前記入力受付手段で前記ユーザ情報の入力を受け付けた前記画像形成装置のレベルで印刷出力可能なレベルの印刷ジョブを特定する特定手段と、
前記特定手段で特定された印刷ジョブを、前記入力受付手段で前記ユーザ情報の入力を受け付けた前記画像形成装置の前記受信手段で受信させるべく送信する送信手段として機能させることを特徴とする情報処理装置のプログラム。